(57)【特許請求の範囲】
【請求項１】
スライド部材と、前記スライド部材と隙間を設けて重なり合う重なり部とを備えるスライド構造に用いられ、前記スライド部材の重なり部側端部近傍に貼り付けられることで、前記スライド部材が前記重なり部と重なる時に、前記重なり部と前記スライド部材との隙間に、人体の一部又は物品が引き込まれることを防止する引き込まれ防止シートであって、
表面が滑り性を有する滑り層と、
前記滑り層が積層される基材シートと、を備え、
前記表面の静摩擦係数および動摩擦係数が０．２以下であり、
前記基材シートの厚さは、１０μｍ以上３０００μｍ以下である
ことを特徴とする引き込まれ防止シート。
【請求項２】
請求項１に記載の引き込まれ防止シートにおいて、
前記滑り層を介して視認可能な装飾部を有し、
前記滑り層は、透明である
ことを特徴とする引き込まれ防止シート。
【請求項３】
請求項１又は請求項２に記載の引き込まれ防止シートと、
前記引き込まれシートと接着剤層を介して接着される剥離シートと、を備え、
前記剥離シートは、
前記引き込まれ防止シートの前記滑り層と同様の滑り層と、
前記引き込まれ防止シートの前記基材シートと同様の基材シートと、を有し、
前記引き込まれ防止シートの前記基材シートと、前記剥離シートの前記滑り層とが前記接着剤層を介して接着されることを特徴とする積層体。
【請求項４】
請求項１又は請求項２に記載の引き込まれ防止シートと、
前記基材シートの前記滑り層が積層される側とは反対側に設けられる粘着剤層と、を備え、
内周側の前記滑り層が外周側の前記粘着剤層と接着するように巻き回されていることを特徴とする引き込まれ防止シートの巻回体。
【請求項５】
スライド部材と、前記スライド部材と隙間を設けて重なり合う重なり部とを備えるスライド構造であって、
前記スライド部材の重なり部側端部近傍に請求項１又は請求項２に記載の引き込まれ防止シートが貼り付けられ、
前記引き込まれ防止シートは、当該引き込まれ防止シートの表面と前記重なり部との隙間が５ｍｍ以下となるように貼り付けられていることを特徴とするスライド構造。
【請求項６】
請求項５に記載のスライド構造において、
前記スライド部材は、引戸であり、
前記重なり部は、前記引戸を収納する収納部であり、
前記引戸が、前記収納部内の空間に隙間を設けて収納される
ことを特徴とするスライド構造。
【請求項７】
スライド部材と、前記スライド部材と隙間を設けて重なり合う重なり部とを備えるスライド構造において、前記スライド部材が前記重なり部と重なる時に、前記重なり部と前記スライド部材との隙間に、人体の一部又は物品が引き込まれることを防止するスライド構造の引き込まれ防止方法であって、
前記スライド部材の重なり部側端部近傍に、請求項１又は請求項２に記載の引き込まれ防止シートを貼り付ける
ことを特徴とするスライド構造の引き込まれ防止方法。
【発明の詳細な説明】
【技術分野】
【０００１】
本発明は、引き込まれ防止シート、積層体、引き込まれ防止シートの巻回体、スライド構造、スライド構造の引き込まれ防止方法に関する。
【背景技術】
【０００２】
電車などの車両の乗降口や、戸棚の出し入れ口などには、スライド部材と、スライド部材と重なり合う重なり部とを備えたスライド構造が設けられている。例えば、電車においては、スライド部材としての引戸と、引戸を収納する重なり部としての収納部とが設けられている。ここで、利用者が引戸に寄りかかっている場合、引戸の収納部側端部近傍に指などが接触する時があるが、この時に引戸が開くと指が引戸に引きずられて引戸と収納部との隙間に引き込まれそうになる。
そこで、引戸にエンドレス式の移動ベルトを設けて指などが引き込まれることを防止する技術が提案されている（特許文献１参照）。
【先行技術文献】
【特許文献】
【０００３】
【特許文献１】特開２００８−１５０７８６号公報
【発明の概要】
【発明が解決しようとする課題】
【０００４】
しかしながら、特許文献１に記載の技術では、移動ベルトなどの排除手段をスライド部材に別途設けなければならず、スライド部材に対して改造や設備投資などが必要であるという問題がある。
【０００５】
そこで、本発明の目的は、既存のスライド部材を活かした簡単な方法で人体の一部又は物品が引き込まれることを防止できる引き込まれ防止シート、積層体、引き込まれ防止シートの巻回体、スライド構造、およびスライド構造の引き込まれ防止方法を提供することである。
【課題を解決するための手段】
【０００６】
本発明は、以下の構成を要旨とするものである。
［１］スライド部材と、前記スライド部材と隙間を設けて重なり合う重なり部とを備えるスライド構造に用いられ、前記スライド部材の重なり部側端部近傍に貼り付けられることで、前記スライド部材が前記重なり部と重なる時に、前記重なり部と前記スライド部材との隙間に、人体の一部又は物品が引き込まれることを防止する引き込まれ防止シートであって、表面が滑り性を有する滑り層と、前記滑り層が積層される基材シートと、を備え、前記表面の静摩擦係数および動摩擦係数が０．２以下であり、前記基材シートの厚さは、１０μｍ以上３０００μｍ以下である引き込まれ防止シート。
本発明の引き込まれ防止シートによれば、表面に滑り性を有する引き込まれ防止シートを、スライド部材の重なり部側端部近傍に貼り付けることにより、引き込まれ防止シートと人体の一部又は物品との間の摩擦力を低減することができるので、スライド部材と重なり部とが重なる時に人体の一部などが引き込まれることを防止できる。従って、既存のスライド部材に引き込まれ防止シートを貼り付けるという簡単な方法で、人体の一部などが引き込まれることを防止できる。
【０００７】
［２］［１］に記載の引き込まれ防止シートにおいて、前記滑り層を介して視認可能な装飾部を有し、前記滑り層は、透明であることを特徴とする引き込まれ防止シート。
［３］［１］または［２］に記載の引き込まれ防止シートと、前記引き込まれシートと接着剤層を介して接着される剥離シートと、を備え、前記剥離シートは、前記引き込まれ防止シートの前記滑り層と同様の滑り層と、前記引き込まれ防止シートの前記基材シートと同様の基材シートと、を有し、前記引き込まれ防止シートの前記基材シートと、前記剥離シートの前記滑り層とが前記接着剤層を介して接着されることを特徴とする積層体。
【０００８】
［４］［１］又は［２］に記載の引き込まれ防止シートと、前記基材シートの前記滑り層が積層される側とは反対側に設けられる粘着剤層と、を備え、内周側の前記滑り層が外周側の前記粘着剤層と接着するように巻き回されていることを特徴とする引き込まれ防止シートの巻回体。
【０００９】
［５］スライド部材と、前記スライド部材と隙間を設けて重なり合う重なり部とを備えるスライド構造であって、前記スライド部材の重なり部側端部近傍に請求項１又は請求項２に記載の引き込まれ防止シートが貼り付けられ、前記引き込まれ防止シートは、当該引き込まれ防止シートの表面と前記重なり部との隙間が５ｍｍ以下となるように貼り付けられていることを特徴とするスライド構造。
本発明のスライド構造によれば、スライド部材の重なり部側端部近傍に上述の引き込まれ防止シートを貼り付けるため、上述したように人体の一部などが引き込まれることを防止できる。
【００１０】
［６］［５］に記載のスライド構造において、前記スライド部材は、引戸であり、前記重なり部は、前記引戸を収納する収納部であり、前記引戸が、前記収納部内の空間に隙間を設けて収納されることを特徴とするスライド構造。
本発明のスライド構造によれば、引戸に上述の引き込まれ防止シートを貼り付けるため、引戸が収納部に収納される時に人体の一部などが引き込まれることを防止できる。
【００１１】
［７］スライド部材と、前記スライド部材と隙間を設けて重なり合う重なり部とを備えるスライド構造において、前記スライド部材が前記重なり部と重なる時に、前記重なり部と前記スライド部材との隙間に、人体の一部又は物品が引き込まれることを防止するスライド構造の引き込まれ防止方法であって、前記スライド部材の重なり部側端部近傍に、［１］又は［２］に記載の引き込まれ防止シートを貼り付けることを特徴とするスライド構造の引き込まれ防止方法。
本発明のスライド構造の引き込まれ防止方法によれば、スライド部材の重なり部側端部近傍に上述の引き込まれ防止シートを貼り付けるため、上述したように人体の一部などが引き込まれることを防止できる。
【図面の簡単な説明】
【００１２】
【図１】本発明の第１実施形態に係る引き込まれ防止シートが貼り付けられた電車の引戸の正面図。
【図２】第１実施形態の引き込まれ防止シートが貼り付けられた引戸の断面図。
【図３】（Ａ）第１実施形態の引き込まれ防止シートの断面図。（Ｂ）（Ａ）の引き込まれ防止シートの平面図。
【図４】第１実施形態の引き込まれ防止シートが巻かれた状態の正面図。
【図５】本発明の第２実施形態に係る引き込まれ防止シートが貼り付けられたビルの出入り口の引戸の正面図。
【図６】本発明の第３実施形態に係る引き込まれ防止シートが貼り付けられたエレベーターの引戸の正面図。
【図７】本発明の第４実施形態に係る引き込まれ防止シートが貼り付けられた玄関の引戸の正面図。
【図８】第４実施形態の引き込まれ防止シートが貼り付けられた家屋の引戸の断面図。
【発明を実施するための形態】
【００１３】
［第１実施形態］
図１，２に示すように、本発明の第１実施形態に係る引き込まれ防止シート１０Ａ，１０Ｂは、電車の車両１１Ａの乗降口に設けられたスライド構造１１などに用いられる。本実施形態では、電車を例示して説明するが、本発明の引き込まれ防止シートはバスなどの乗り物のスライド構造に用いられても良い。
スライド構造１１は、スライド部材としての引戸１２と、引戸１２と重なり合う重なり部としての収納部１３とを備える。スライド構造１１は、図示しないレールに沿って引戸１２を収納部１３に対してスライド移動させることにより、乗降口を開閉する。
【００１４】
引戸１２は、板状部材であり、図１では左右に開くように一対設けられている。引戸１２は、上部にガラス窓１２１を有し、また、図２に示すように車内側の内側表面１２２と車外側の外側表面１２３とを有する。
引戸１２の表面の材質としては、例えば、ステンレス板、鉄板上にメラミン樹脂が塗布されたものなどである。
引戸１２の内側表面１２２に指などが接触している状態で引戸１２が動く時、引戸１２の内側表面１２２と指などの表面との間の摩擦力により、指などが引戸１２に引きずられる。
図２に示すように、引戸１２は、収納部１３から引き出された状態、すなわち、乗降口が閉じた状態で、収納部１３と前後方向で重なる重なり部側端部としての収納部側端部１２４を有する。
【００１５】
収納部１３は、一対の引戸１２をそれぞれ収納するように一対設けられている。収納部１３は、いわゆる戸袋であり、互いに対向する側に開口１３１を有する箱状である。また、収納部１３は、引戸１２を収納するための空間１３２を形成する一対の側壁１３３を有する。収納部１３は、引戸１２に貼り付けられた引き込まれ防止シート１０Ａ，１０Ｂと側壁１３３との隙間ｄを有して引戸１２を収納する。すなわち、収納部１３は、引戸１２と隙間ｄを有して重なり合う。隙間ｄの幅は、８ｍｍ以下が好ましく、５ｍｍ以下がより好ましく、３ｍｍ以下がさらにより好ましい。隙間ｄを狭くすることにより、厚みが厚い指や物品（荷物）などを隙間ｄに引き込まれにくくすることができる。
【００１６】
引き込まれ防止シート１０Ａ，１０Ｂは、一対の引戸１２にそれぞれ貼り付けられている。引き込まれ防止シート１０Ａ，１０Ｂは、引戸１２の収納部側端部１２４近傍に、引戸１２を閉じた状態で収納部１３の外に露出するように貼り付けられている。
引き込まれ防止シート１０Ａは、帯状であり、図１に示すように、左側の引戸１２に貼り付けられている。この引き込まれ防止シート１０Ａは、収納部側端部１２４とガラス窓１２１との間に貼り付けられ、引戸１２の上下方向に延びるように上端部から下端部まで貼り付けられている。
引き込まれ防止シート１０Ｂは、図１に示すように、右側の引戸１２に貼り付けられている。この引き込まれ防止シート１０Ｂは、引き込まれ防止シート１０Ａよりも幅が広く、ガラス窓１２１の一部を覆うように貼り付けられている。
また、引き込まれ防止シート１０Ｂは、人間が引戸１２に接触する高さの位置にのみ貼付されており、引戸１２の上端部及び下端部には貼付されていない。具体的には、引戸１２の下端部より３０ｃｍ程度の高さから１９０ｃｍ程度の高さまで貼り付けられている。
なお、引き込まれ防止シート１０Ａ，１０Ｂの形状は帯状に限らず、円形、楕円形、正方形、ひし形、五角形などの多角形や不定形な流線形状など、引戸１２に貼付できるような形状であれば特に限定されない。
【００１７】
引き込まれ防止シート１０Ａ，１０Ｂは、幅が５ｃｍ以上であることが好ましく、１５ｃｍ以上であることがより好ましく、３０ｃｍ以上であることがさらにより好ましい。
引き込まれ防止シート１０Ｂのように、幅をなるべく広くすることにより、指などが接触する箇所を広く覆うことができるので好ましい。一方、幅が５ｃｍ未満の場合、指などが接触する箇所を覆うことができないおそれがある。
なお、引戸１２の１枚に対して貼り付ける引き込まれ防止シート１０Ａ，１０Ｂは１枚とは限られず、人間が接触する可能性がある高さ方向に複数枚貼付してもよく、横方向に複数枚貼付してもよい。
【００１８】
引き込まれ防止シート１０Ａ，１０Ｂは、図３（Ａ）に示すように、基材シート１０３の一方の面に滑り層１０１を、他方の面に粘着剤層１０２を有する。引き込まれ防止シート１０Ａ，１０Ｂは、貼り付けられる前は、剥離シート１４が積層されている。
引き込まれ防止シート１０Ａ，１０Ｂの表面、すなわち滑り層１０１の表面１０１Ａは、優れた滑り性を有しており、静摩擦係数及び動摩擦係数が、それぞれ０．２以下であることが好ましく、０．１５以下であることがより好ましく、０．１以下であることがさらにより好ましい。静摩擦係数及び動摩擦係数をそれぞれ０．２以下とすることにより、滑り層１０１の表面の滑り性がさらに良好となり、滑り層１０１の表面１０１Ａと指などの表面との間に発生する摩擦力を低減できる。そのため、引戸１２が開く時に指などが摩擦力で収納部１３に引き込まれることを防止できる。
【００１９】
滑り層１０１を形成する材料としては、例えば、滑剤、剥離剤が好ましい。滑剤としては、例えば、ワックス、オイル、ワックスやオイルを含む塗料などが挙げられる。剥離剤としては、例えば、シリコーン系樹脂、フッ素系樹脂が挙げられる。
これらの樹脂のうちで、取り扱いやすさや価格の面でシリコーン系樹脂が好ましい。シリコーン系樹脂としては、熱硬化型シリコーン系樹脂、紫外線硬化型シリコーン系樹脂、電子線硬化型シリコーン系樹脂などが挙げられる。
熱硬化型シリコーン系樹脂としては、縮合反応型シリコーン系樹脂、付加反応型シリコーン系樹脂が挙げられる。そして、縮合反応型シリコーン系樹脂と付加反応型シリコーン系樹脂としては、それぞれ溶剤型シリコーン系樹脂、エマルジョン型シリコーン系樹脂、無溶剤型シリコーン系樹脂に分類できるが、いずれも本発明のシリコーン系樹脂として使用できる。また、紫外線硬化型シリコーン系樹脂も、溶剤型シリコーン系樹脂、無溶剤型シリコーン系樹脂に分類できるが、いずれも本発明のシリコーン系樹脂として使用できる。
【００２０】
粘着剤層１０２は、滑り層１０１を積層した基材シート１０３の一方の面とは反対面に形成され、引き込まれ防止シート１０Ａ，１０Ｂを引戸１２に貼り付けるためのものである。粘着剤層１０２を形成する粘着剤としては、例えば、ゴム系、アクリル系、シリコーン系、ポリウレタン系の粘着剤が挙げられる。中でも、アクリル系粘着剤は粘着力が優れているため好ましい。粘着剤のタイプとしては、水に分散しているタイプ、水又は溶剤に溶解しているタイプなどが挙げられる。
なお、粘着剤の替わりに感熱接着剤を用いてもよく、さらには粘着剤層１０２を設けずに引戸１２に貼り付ける時に接着剤や両面テープなどを用いてもよい。引戸１２に貼付するための粘着剤などとしては、一度貼付したら簡単には剥がれない永久接着タイプや簡単に剥がすことができ何度でも貼り替えが可能な再剥離タイプの粘着剤などを挙げることができる。
引戸１２に貼り付けるための粘着剤層１０２や感熱接着剤などの層の厚みとしては、１μｍ以上５００μｍ以下が好ましく、５μｍ以上３００μｍ以下がより好ましく、１０μｍ以上１５０μｍ以下がさらにより好ましい。１μｍ未満である場合、接着性が不足する場合があり、５００μｍを超える場合接着性がさらに向上するという効果を期待することはできずに粘着剤などのコストが上がるという経済的な問題につながることがある。
【００２１】
基材シート１０３は、滑り層１０１に隣接した合成樹脂層１０３Ａと、この合成樹脂層１０３Ａの粘着剤層１０２側に積層された紙材１０３Ｂとを有するラミネート紙である。合成樹脂層１０３Ａを形成する樹脂としては、ポリエチレン、ポリプロピレン、ポリエチレンテレフタレートなどが挙げられる。紙材１０３Ｂとしては、例えば、上質紙、グラシン紙、クラフト紙、不織布などが挙げられる。なお、基材シート１０３は、合成樹脂層１０３Ａ又は紙材１０３Ｂのみにより形成されていてもよい。また、基材シート１０３は、ラミネート紙に限らず、コート紙、グラシン紙でもよい。そして、基材シート１０３は、合成樹脂からなるフィルム状のものでもよく、合成樹脂の具体例としては、ポリエチレンやポリプロピレンなどのポリオレフィン、ポリエチレンテレフタレート、ポリブチレンテレフタレート、ポリエチレンナフタレートなどのポリエステル、ポリ塩化ビニル、ポリスチレン、ポリウレタン、ポリイミド、ポリカーボネート、エチレン−酢酸ビニル共重合体、アクリロニトリル−ブタジエン−スチレン共重合体などを挙げることができる。
基材シート１０３の厚みとしては特に限定されるものではないが、１μｍ以上３０００μｍ以下が好ましく、５μｍ以上１０００μｍ以下がより好ましく、１０μｍ以上５００μｍ以下がさらにより好ましい。１μｍ未満である場合薄いためにコシが弱くなり粘着剤や剥離剤を塗布するような加工工程において取り扱いにくい場合がある。一方、３０００μｍを超える場合コシが強すぎて加工工程において逆に取り扱いにくい場合がある。
【００２２】
図３（Ａ），（Ｂ）に示すように、紙材１０３Ｂは、滑り層１０１側の面に装飾部１０４を有することが好ましい。
装飾部１０４は、指などが引き込まれることを防止するために注意喚起するものであることが好ましいが、引き込まれ防止シート１０Ａ，１０Ｂが貼り付けられた引戸１２のデザイン性を向上させたり広告情報を表示するためのものでもよい。
装飾部１０４には、印字や着色が施されている。印字としては、例えば、図３（Ｂ）に示すような警告文「荷物の引き込まれにご注意下さい」が挙げられ、着色としては、例えば、利用者に目立つ黄色、赤色、青色、黄色と黒色との縞模様などが挙げられる。印字などを施す方法としては、例えば、グラビア印刷、シルク印刷、インクジェットなどが挙げられる。
【００２３】
紙材１０３Ｂが装飾部１０４を有する場合、滑り層１０１及び合成樹脂層１０３Ａは、装飾部１０４の視認性を確保するため、透明であることが好ましい。また、装飾部１０４は、紙材１０３Ｂに設けずに合成樹脂層１０３Ａの滑り層１０１側の面に設けても良い。
そして、滑り層１０１は、基材シート１０３に積層された構成を説明したが、滑り層１０１は、紙材１０３Ｂの原料のパルプに滑剤又は剥離剤を混ぜて形成されたものでもよく、合成樹脂に滑剤又は剥離剤を混ぜて形成されたものでも良い。
【００２４】
剥離シート１４は、引き込まれ防止シート１０Ａ，１０Ｂを支持して、保護するものであり、本実施形態においては、引き込まれ防止シート１０Ａ，１０Ｂの滑り層１０１及び基材シート１０３と同様のものであるが、滑り層１０１及び基材シート１０３と異なるものでもよい。
引き込まれ防止シート１０Ａ，１０Ｂを引戸１２に貼り付ける際には、剥離シート１４を剥がして引戸１２の内側表面１２２に貼り付ける。
【００２５】
引き込まれ防止シート１０Ａは、帯状であるため、引戸１２に貼り付ける前においては、図４に示すように、剥離シート１４を設けずに巻き回した状態としてもよい。すなわち、引き込まれ防止シート１０Ａは、一面が剥離剤を含む滑り層１０１により形成され、他面が粘着剤層１０２により形成されているため、巻き回した時に内周側の滑り層１０１が外周側の粘着剤層１０２と接着する構成としてもよい。
【００２６】
（スライド構造の引き込まれ防止方法）
次に、本発明の第１実施形態に係るスライド構造の引き込まれ防止方法を説明する。
図１，２のように、引戸１２が乗降口を閉じている状態で、引戸１２の収納部側端部１２４近傍に引き込まれ防止シート１０Ａ，１０Ｂを貼り付ける。
そして、利用者が引戸１２の収納部側端部１２４近傍に寄りかかっている場合、引き込まれ防止シート１０Ａ，１０Ｂに指などが接触する時があるが、引き込まれ防止シート１０Ａ，１０Ｂの表面１０１Ａは、滑り層１０１により形成されているため、滑り性を有する。
ここで、引戸１２を開くように移動させた場合、すなわち、引戸１２を収納部１３に収納する時、引き込まれ防止シート１０Ａ，１０Ｂも動くが、滑り層１０１の表面１０１Ａの滑り性により引き込まれ防止シート１０Ａ，１０Ｂの表面１０１Ａと指などの表面との間に発生する摩擦力を低減できる。そのため、引戸１２が開く時に指などが摩擦力で収納部１３に引き込まれることを防止できる。
【００２７】
以上のような本実施形態によれば、以下のような効果を奏することができる。
（１）引戸１２の収納部側端部１２４近傍に、滑り性を有する引き込まれ防止シート１０Ａ，１０Ｂを貼り付けるため、引戸１２を収納部１３に収納する時に、引き込まれ防止シート１０Ａ，１０Ｂの表面１０１Ａと指などの表面との間に発生する摩擦力を低減できる。従って、既存の引戸１２を活かした簡単な方法で指などが収納部１３に引き込まれることを防止できる。
【００２８】
（２）収納部１３に引戸１２を収納する時、引戸１２に貼り付けられた引き込まれ防止シート１０Ａ，１０Ｂと側壁１３３との隙間ｄを８ｍｍ以下とすることにより、指が隙間ｄに引き込まれることを良好に防止できる。
（３）引き込まれ防止シート１０Ａ，１０Ｂの幅を５ｃｍ以上として引戸１２に貼り付けることにより、指の引き込まれをより防止できる。
【００２９】
（４）引き込まれ防止シート１０Ａ，１０Ｂの滑り層１０１及び基材シート１０３を、剥離シート１４と同様の構成とすれば、滑り層１０１及び基材シート１０３として剥離シート１４を利用でき、経済性に優れる。
（５）引き込まれ防止シート１０Ａは、一面が剥離剤を含む滑り層１０１により形成され、他面が粘着剤層１０２により形成されているため、巻き回した状態で保管したり運搬したりすることができる。その結果、剥離シート１４が不要となるため、さらに経済性に優れる。
【００３０】
（６）引き込まれ防止シート１０Ａ，１０Ｂの滑り層１０１の表面１０１Ａの静摩擦係数及び動摩擦係数を、それぞれ０．２以下とすれば、滑り層１０１の表面１０１Ａと指の表面との間の摩擦力をさらに低減でき、指などが収納部１３に引き込まれることを良好に防止できる。
（７）紙材１０３Ｂ及び合成樹脂層１０３Ａから構成された基材シート１０３を設けることにより、引き込まれ防止シート１０Ａ，１０Ｂ自体を厚くして隙間ｄを小さくできるため、指などが引き込まれることをさらに防止できる。
【００３１】
（８）紙材１０３Ｂに装飾部１０４を設けることにより、利用者に指などが引き込まれることを防止するための注意喚起をしたり、引戸１２のデザイン性を向上させたりすることができる。
（９）引き込まれ防止シート１０Ａ，１０Ｂの滑り層１０１を剥離剤により形成したため、簡単な構成で指などが引き込まれることを良好に防止できる。
（１０）滑り層１０１の表面１０１Ａを有する引き込まれ防止シート１０Ａ，１０Ｂを引戸１２の収納部側端部１２４に貼り付けることにより、指などが引き込まれることを防止できるスライド構造１１及びスライド構造の引き込まれ防止方法を提供できる。
【００３２】
［第２実施形態］
第２実施形態に係る引き込まれ防止シート、スライド構造、スライド構造の引き込まれ防止方法では、引き込まれ防止シートの貼付対象及び形状が異なる以外は第１実施形態と同様である。
図５に示すように、第２実施形態に係る引き込まれ防止シート２０Ａ，２０Ｂは、ビル２１Ａの出入り口のスライド構造２１に用いられる。
第２実施形態のスライド構造２１は、第１実施形態と同様に、一対の引戸２２と、一対の収納部２３とを備える。スライド構造２１に用いられる引戸２２の表面の材質としては、ステンレス板、ガラス、メラミン塗装板などが挙げられる。引き込まれ防止シート２０Ａ，２０Ｂは、引戸２２の内側表面２２１における収納部側端部近傍にそれぞれ貼り付けられる。
引き込まれ防止シート２０Ａは、図５の左側の引戸２２に貼り付けられており、半楕円形である。具体的には、引き込まれ防止シート２０Ａは、引戸２２の高さの略半分の位置において、最も幅が広くなるように、反対の引戸２２に向かって膨らむ形状である。
引き込まれ防止シート２０Ｂは、図５の右側の引戸２２に貼り付けられている。この引き込まれ防止シート２０Ｂは、小さい円形であり高さ方向に複数枚貼り付けられている。また、引き込まれ防止シート２０Ｂは、引戸２２の下端部を除いた位置に貼り付けられている。なお、引き込まれ防止シート２０Ｂの枚数は特に限定されず、１０枚あるいは２０枚でもよく、貼り付ける位置は、人が引戸２２に接触すると予想される箇所を被覆するような位置とすることが好ましい。
以上のような本実施形態によれば、第１実施形態と同様の効果のほかに、以下の効果も奏することができる。
（１１）引き込まれ防止シート２０Ａ，２０Ｂが多様な形状であるため、引き込まれ防止シート２０Ａ，２０Ｂが貼り付けられた引戸２２のデザイン性をさらに向上させることができる。
（１２）引き込まれ防止シート２０Ａでは、収納部２３に引き込まれやすい引戸２２の略半分の高さ位置において、最も幅が広いため、良好に指などが引き込まれることを防止できる。
【００３３】
［第３実施形態］
第３実施形態に係る引き込まれ防止シート、スライド構造、スライド構造の引き込まれ防止方法では、引き込まれ防止シートの貼付対象及び形状が異なる以外は第１実施形態と同様である。
図６に示すように、第３実施形態に係る引き込まれ防止シート３０Ａ，３０Ｂは、エレベーター３１Ａのスライド構造３１に用いられる。
エレベーター３１Ａのスライド構造３１は、第１実施形態と同様に、一対の引戸３２と、一対の収納部３３とを備える。
引き込まれ防止シート３０Ａ，３０Ｂは、一対の引戸３２のエレベーター３１Ａ内の内側表面３２１における収納部側端部近傍にそれぞれ貼り付けられる。
引き込まれ防止シート３０Ａは、図６の左側の引戸３２に貼り付けられており、三角形状である。具体的には、引き込まれ防止シート３０Ａは、引戸３２の高さの略半分の位置において、最も幅が広くなるように、反対の引戸３２に向かって突き出した形状である。
引き込まれ防止シート３０Ｂは、図５の右側の引戸３２に貼り付けられており、収納部３３と反対側の端部が波形に形成されている。引き込まれ防止シート３０Ｂは、引戸２２の上端部及び下端部から所定距離離れた位置で貼り付けられている。
以上のような本実施形態によれば、第１実施形態及び第２実施形態と同様の効果を奏することができる。
【００３４】
［第４実施形態］
第４実施形態に係る引き込まれ防止シート、スライド構造、スライド構造の引き込まれ防止方法では、引き込まれ防止シートの貼付対象及び形状が異なる以外は第１実施形態と同様である。
図７，８に示すように、第４実施形態の引き込まれ防止シート４０は、家屋の玄関４１Ａの出入り口に設けられたスライド構造４１に用いられる。
スライド構造４１は、第１引戸４２１及び第２引戸４２２と、第１引戸４２１及び第２引戸４２２を収納する一つの収納部４３とを有する。
第１引戸４２１は、収納部４３から引き出された状態で、収納部４３に隣り合って配置される。
第２引戸４２２は、収納部４３から引き出された状態で、第１引戸４２１と引き出し方向に隣り合って配置される。
第１引戸４２１及び第２引戸４２２は、上框４２３Ａ、下框４２３Ｂ、及び左右の縦框４２３Ｃ，４２３Ｄと、これら上框４２３Ａ、下框４２３Ｂ、及び左右の縦框４２３Ｃ，４２３Ｄで框組した枠体に嵌め込まれるガラスパネル４２４とにより構成されている。
【００３５】
図８に示すように、第１引戸４２１及び第２引戸４２２が収納部４３から引き出された状態では、第１引戸４２１は、収納部４３と前後方向で重なる第１収納部側端部４２１Ａを有し、第２引戸４２２は、第１引戸４２１と前後方向で重なる第２収納部側端部４２２Ａを有する。ここで、第１引戸４２１の第１収納部側端部４２１Ａ及び第２引戸４２２の第２収納部側端部４２２Ａは、それぞれ左側の縦框４２３Ｃに対応する。
収納部４３は、第１引戸４２１及び第２引戸４２２をそれぞれ重なり合わせて収納する空間４３１を有するが、箱状ではない。すなわち、収納部４３の側壁４３２は、１枚のみから構成されている。また、収納部４３は、第１引戸４２１と、第２引戸４２２に貼り付けられた引き込まれ防止シート４０とが隙間ｄ１を有するように第１引戸４２１及び第２引戸４２２を収納する。また、収納部４３は、側壁４３２と、第１引戸４２１に貼り付けられた引き込まれ防止シート４０とが隙間ｄを有するように第１引戸４２１を収納する。
引き込まれ防止シート４０は、第１収納部側端部４２１Ａ近傍、すなわち第１引戸４２１における左側の縦框４２３Ｃに隣接するガラスパネル４２４において、その内側表面４２４Ａの全面に貼り付けられている。また、引き込まれ防止シート４０は、第２収納部側端部４２２Ａ近傍、すなわち第２引戸４２２における左側の縦框４２３Ｃに隣接するガラスパネル４２４において、その内側表面４２４Ａの全面にも貼り付けられている。この場合、引き込まれ防止シート４０は、ガラスの透明性を妨げないように、透明であることが好ましい。
【００３６】
以上のような本実施形態によれば、第１実施形態で説明した以外に以下の効果も奏することができる。
（１３）ガラスパネル４２４全面に引き込まれ防止シート４０を貼り付けるため、第１引戸４２１及び第２引戸４２２間の隙間ｄ１に指などが引き込まれることを防止できる。
（１４）ガラスパネル４２４全面に引き込まれ防止シート４０を貼り付けるため、ガラスパネル４２４が割れた時、ガラスが飛散することを防止できる。
【００３７】
尚、本発明は、前述した実施形態に限定されるものではなく、以下に示すような変形をも含むものである。
すなわち、各実施形態では、引戸の収納部側端部近傍にのみ引き込まれ防止シートを貼り付ける構成を説明したが、引戸の全面に引き込まれ防止シートを貼り付けてもよい。
また、第１実施形態から第３実施形態まででは、引戸の内側表面にのみ引き込まれ防止シートを貼り付ける構成を説明したが、引戸の外側表面にも引き込まれ防止シートを貼り付けてもよい。引戸の外側表面に引き込まれ防止シートを貼り付けることにより、引戸の内側表面に引き込まれ防止シートを貼り付けた場合と同様に、指などが引戸と収納部との隙間に引き込まれることを防止できる。
そして、各実施形態では、引戸が複数から構成される説明をしたが、１枚でもよい。
さらに、第４実施形態では、スライド構造は、２枚の引戸（第１引戸及び第２引戸）を備える構成を説明したが、３枚以上の引戸を備える構成でもよい。
また、本発明のスライド部材として、各実施形態では電車の引戸、ビルの出入り口の引戸、エレベーターの引戸、家屋の玄関の引戸などを例示したが、これに限られるものではない。スライド部材としては、駅のプラットホームに設置された保護柵の引戸でもよい。また、スライドして開閉するドアでもよく、例えば、部屋の出入口の自動ドア、手動ドアなどが挙げられる。
また、本発明のスライド部材としては、各実施形態では収納部に収納される引戸を説明したが、これに限られない。スライド部材としては例えば、引き違い窓などのスライド式の窓、戸棚や本棚などに設けられた引き違い戸などのスライド式の戸でもよい。
例えば、引き違い窓の場合、一方の窓がスライド部材であり、他方の窓が重なり部であり、引き違い戸も同様である。
そして、第１実施形態から第３実施形態までではスライド部材の表面の材質として、ステンレス板などを説明したが、ガラスでもよい。
【実施例】
【００３８】
以下に、実施例を挙げて本発明をさらに詳細に説明するが、本発明はこれらの実施例によりなんら限定されるものではない。
（実施例１）
下記のように実施例１の引き込まれ防止シートを作製し、下記評価方法により評価した。
まず、剥離シートとして、剥離紙（リンテック株式会社製、商品名：ＳＰ−８Ｅ）を用意した。この剥離紙は、図３（Ａ）の剥離シート１４に対応し、紙材としては上質紙であり、合成樹脂層としてはポリエチレンシートであり、滑り層としてはシリコーン樹脂により形成された層である。
剥離紙の滑り層に、アクリル系粘着剤（水に分散しているタイプ）、リンテック株式会社製、商品名：ＰＷ）を塗布して乾燥後、厚みが２０μｍの粘着剤層を形成した。次に、基材シートとしての別の剥離紙（リンテック株式会社製、商品名：ＳＰ−８Ｅ）を用意し、基材シートとしての剥離紙の滑り層と反対側の面に粘着剤層を貼り合わせた。これにより、粘着剤層に、紙材、合成樹脂層、及び滑り層を形成して、剥離シートが貼り合わされた実施例１の引き込まれ防止シートを作製した。
【００３９】
（評価方法）
剥離シートを剥がして、ビルの出入り口の自動ドアである引戸（図５）に貼り付けた。具体的には、実施例１の引き込まれ防止シート（幅：１０ｃｍ）を図１に示す左側の引戸の収納部側端部近傍に貼り付けた。なお、実施例１で用いる引戸の表面の材質は、既存のステンレス板である。
引き込まれ防止シートの滑り層の表面に指を置いた後、引戸を開くように移動させた時、指が隙間に引き込まれそうになった場合を「×」とし、隙間に引き込まれそうにならなかった場合を「○」とした。
また、引き込まれ防止シートの滑り層の表面の静摩擦係数および動摩擦係数を測定した。
【００４０】
（静摩擦係数及び動摩擦係数の測定方法）
静摩擦係数および動摩擦係数の測定方法は、ＪＩＳ  Ｋ７１２５に準拠して実施した。すなわち、剥離シートを剥がして、実施例１の引き込まれ防止シートの滑り層をＳＵＳ板（＃２８０）に接触させ、１ｋｇの鉛で荷重をかけながらＳＵＳ板上を１０ｍｍ／ｍｉｎの速度で鉛を引っ張った。この際の摩擦抵抗値に基づき、静摩擦係数および動摩擦係数を得た。
【００４１】
（実施例２）
実施例１において、剥離紙（商品名：ＳＰ−８Ｅ）の代わりに、剥離フィルム（リンテック株式会社製、商品名：ＳＰ−ＰＥＴ３８１１）を用い、アクリル系粘着剤（商品名：ＰＷ）の代わりに、アクリル系粘着剤（溶剤に溶解しているタイプ、リンテック株式会社製、商品名：ＰＡ−Ｔ１）を用いた以外は、実施例１と同様にして実施例２の引き込まれ防止シートを作製し、評価した。
【００４２】
（比較例１）
比較例１では、引戸に引き込まれ防止シートを貼り付けなかった以外は、実施例１と同様にして評価した。
また、引戸の表面と同じ材質のステンレス板を用意して、その静摩擦係数及び動摩擦係数を、実施例１と同様の測定方法で測定した。
【００４３】
（比較例２）
引き込まれ防止シートの代わりに、ラミネート用粘着フィルム（商品名：Ｇ−０６９ＢＮ２０、リンテック株式会社製）を用いた以外は、実施例１と同様にして評価した。
ラミネート用粘着フィルムは、ポリプロピレンフィルムに粘着層を形成したものである。
また、比較例２のプロピレンフィルムをＳＵＳ板（＃２８０）に接触させた状態で、その静摩擦係数及び動摩擦係数を、実施例１と同様の測定方法で測定した。
【００４４】
【表１】
0005700773.tif 000002
【００４５】
（評価結果）
滑り層を有する実施例１，２の引き込まれ防止シートでは、指が引き込まれることを防止できたが、引き込まれ防止シートを用いない比較例１の引戸及び滑り層を有しない比較例２のラミネート用粘着フィルムでは、指が引き込まれることを防止できなかった。
また、実施例１，２の引き込まれ防止シートの滑り層の表面は、静摩擦係数及び動摩擦係数がそれぞれ０．２以下であるが、比較例１の引戸の表面および比較例２のラミネート用粘着フィルムの表面は静摩擦係数及び動摩擦係数がそれぞれ０．２を超えていた。従って、滑り層を有する実施例１，２の引き込まれ防止シートは、静摩擦係数及び動摩擦係数が小さいため、指が引き込まれることを防止できることが分かる。
また、粘着剤層として、実施例１では水に分散しているタイプの粘着剤を用い、実施例２では溶剤に溶解したタイプの粘着剤を用いたが、いずれの粘着剤でも使用できることが分かった。
【符号の説明】
【００４６】
１０Ａ，１０Ｂ，２０Ａ，２０Ｂ，３０Ａ，３０Ｂ，４０  引き込まれ防止シート
１１，２１，３１，４１  スライド構造
１２，２２，３２        引戸（スライド部材）
１３，２３，３３，４３  収納部（重なり部）
１２４                  収納部側端部（重なり部側端部）
１３２，４３１          空間
４２１                  第１引戸（スライド部材）
４２１Ａ                第１収納部側端部（重なり部側端部）
４２２                  第２引戸（スライド部材）
４２２Ａ                第２収納部側端部（重なり部側端部）
ｄ，ｄ１                隙間
【図１】
0005700773.tif 000003
【図２】
0005700773.tif 000004
【図３】
0005700773.tif 000005
【図４】
0005700773.tif 000006
【図５】
0005700773.tif 000007
【図６】
0005700773.tif 000008
【図７】
0005700773.tif 000009
【図８】
0005700773.tif 000010